(57)【要約】      （修正有）【課題】リラクゼーションガウンをすべての体型に合わせて首部と胸部（ワンピース）から着られるようにし、よもぎ蒸し中の場合、蒸気が外に漏れないリラクゼーションガウンを提供する。【解決手段】リラクゼーションガウン１は、前面部２と背面部の両端にあるマジックテープ６（登録商標）をつけて着用する。前面部２に胸用のゴムで胸まわりが体型に合わせて伸び縮むようにする。前面部２に首用の紐４２で首まわりがぐっと締めるようして紐留め具４３で固定させる。これによって蒸気が漏れないように、全ての体型にあうよう容易に調整ができる。【選択図】図１
2020204130.tif 000002
【特許請求の範囲】
【請求項１】
リラクゼーションガウンであって、着用者の背面の両端部に互いに付けるようにマジックテープを設ける。着用者の前面を覆う前面部と両脇部に胸まわりが伸び縮むようにゴムを設ける。首まわりに紐を設けてぐっと締めるようにする。
【請求項２】
請求項１に記載のリラクゼーションガウンであって、着用者のスカート部の両横部にコンシールファスナーを設ける。
【発明の詳細な説明】
【技術分野】
【０００１】  本発明は、全ての体型に対応するリラクゼーションガウン（マント）とする。
【背景技術】
【０００２】  従来のリラクゼーションガウンは、ほとんどのタイプで上部がゴム仕様となっている。よもぎ蒸し中に着用するリラクゼーションガウンは頭から被って首から下を覆うタイプか、胸部から下を覆うタイプに分かれている。首から下を覆うタイプの問題点は、胸部から着用すると胸周りがきつく締め付けられること。従来のリラクゼーションガウンをよもぎ蒸し中に着用する場合、首まわりから身体を覆うように着用するので、代謝が上がり過ぎてのぼせやすく、特に夏には着用者が汗をかき過ぎて、健康上の問題を起こす恐れがあること。【０００３】  よもぎ蒸し中に胸部から下を覆う（ワンピース）タイプの問題点は、寒い冬は体が温まりにくいことがある。また既存のガウンは着用するときに頭や顔に触れて髪の毛や化粧が崩れてしまう問題点がある。また、寒さ対策としてワンピースタイプを首から着るとガウンの外に手が出る部分がなく両手が使えないため、お茶を飲んだり本を読んだりできなくなるという問題点があげられる。【０００４】  本発明はリラクゼーションガウンの上面部にゴム、紐、マジックテープを導入していることで、胸まわりはゴムで伸び縮んで胸にフィットさせ、首まわりには紐でぐっと締めるようにフェットさせる。１枚で首と胸部とのどちらからでも着用できるリラクゼーションガウンにすることで、上記の問題を改善した。
【先行技術文献】
【特許文献】
【０００５】
【特許文献１】特開２０１８−０４００７２
【発明の概要】
【発明が解決しようとする課題】
【０００６】  リラクゼーションガウンをすべての体型に合わせて首からでも胸部（ワンピースタイプ）からでも着用できるものにしたい。よもぎ蒸し中に蒸気がリラクゼーションガウンから外に漏れないようにしたい。
【課題を解決するための手段】
【０００７】  前面の上部には胸周りの調整用のゴムや首周りの調整用の紐をつけて体に合わせやすくする。後面の上部には、着用者の背面の両端部に互いに付けるようにマジックテープを使用してする。
【発明の効果】
【０００８】  すべての体型に対応できる。胸用のゴム、首用の紐、両端をくっつけるマジックテープで上部の横幅を調整できるので、どのような体型の着用者の身体にもフィットさせることが出来る。【０００９】  本発明では、リラクゼーションガウンの両端に付けたり離したりできるマジックテープを設けることで、リラクゼーションガウンの着脱を容易に行うことができる。また、頭から被せて着用するタイプではないので、髪の毛や顔に触れずに着ることができる。【００１０】本発明では、よもぎ蒸しの際に蒸気が漏れることを防げる。胸用のゴム、首用の紐、両端をくっつけるマジックテープの使用でガウンの首や胸回りのサイズを効率よくフィットできるので、蒸気が漏れないように着用できる。
【図面の簡単な説明】
【００１１】
【図１】一の実施の形態に関わるリラクゼーションガウンを広げた状態で示す前面の正面図である。
【図２】一の実施の形態に関わるリラクゼーションガウンを広げた状態で示す裏面図である。
【図３】着用者が首で着用した状態のリラクゼーションガウンの前面の正面図である。
【図４】着用者が胸部で着用した状態のリラクゼーションガウンの前面の正面図である。
【図５】着用者が胸部で着用した状態のリラクゼーションガウンの裏面側の正面図である。
【図６】着用者が首で着用した状態のリラクゼーションガウンの裏面側の正面図である。
【発明を実施するための形態】
【００１２】一の実施の形態に関わるリラクゼーションガウン１を示す図である。リラクゼーションガウン１は、よもぎ蒸しするお客様が着用し、都度洗って使用するガウンである。図１は着用前のリラクゼーションガウン１を広げた状態で示す前部の正面図である。［図２］は、着用前のリラクゼーションガウン１を広げた状態で示す裏面側の正面図である。［図２］は、着用者に接する内面である。
【００１３】リラクゼーションガウンは様々な体型に合わせて着ることが出来るよう、またよもぎ蒸し中に蒸気が漏れないように、体型にあわせて適切に胸まわりはゴム４１が伸び縮む。また、首用の紐４２で首まわりを締めてマジックテープ６で両端をくっつけることが可能である。
【００１４】リラクゼーションガウン１は着用者の背面で左右の部位を重ねる後閉じタイプのガウンである。リラクゼーションガウン１は着用者の髪や顔に触れず一対の裏面部３のマジックテープ６でくっつけることができる。マジックテープ６で体型に合わせて横幅を自由に調整できる。
【００１５】図３に示す例では、リラクゼーションガウン１を首から着用している。前面部２を、着用者の喉元（すなわち、首と胸部との間の部位）にして前面部２と背面部３の両端にあるマジックテープ５１を着用者の背面に回してくっつける。スカート部５にある一対のコンシールファスナー５１に着用者の両手を挿入すると、着用者の手が自由に動けるようになる。そこで、首用の紐４２で引っ張って首回りをフィットさせ、紐留め具４３で固定する。
【００１６】図４に示す例では、リラクゼーションガウン１を胸部から着用している。着用者の前面を覆う前面部と両脇部にあるゴムが胸まわりを伸び縮ませる。前面部２を胸の上にして背面部３にあるマジックテープ６で留める。
【００１７】図５に示す例ではリラクゼーションガウン１を胸から着用した場合、着用者の背面である。マジックテープ６で着用者の背面の両端部に互いに付ける。
【００１８】図６に示す例ではリラクゼーションガウン１を首から着用した際の背面部である。前面部２と背面部の両端にあるマジックテープ５１をくっつける。
【符号の説明】
【００１９】１    リラクゼーションガウン
２    前面部
３    背面部
４    上面部
５    スカート部
４１  ゴム部
４２  紐
４３  紐留め具
６    マジックテープ
５１  コンシールファスナー
【図１】
2020204130.tif 000003
【図２】
2020204130.tif 000004
【図３】
2020204130.tif 000005
【図４】
2020204130.tif 000006
【図５】
2020204130.tif 000007
【図６】
2020204130.tif 000008